(57)【要約】      （修正有）【課題】履物物品内に粒状発泡体の移動を制限する要素と組み合わされた粒状発泡体を有する履物物品を提供する。【解決手段】履物物品１０は、アッパー１００と、アッパーに取り付けられたアウトソール２１０と、アッパーとアウトソールとの間に配置されたミッドソール２２０とを含む。アウトソールは、地面係合面２１２と、地面係合面に対してアウトソールの反対側に形成された内側表面２１４と、アウトソールの周囲を取り囲んでいる側壁２３０と、を含む。側壁は、キャビティ２４０を画定するために内側表面と協働する。ミッドソールは、中敷と、中敷に対してミッドソールの反対側に配置され、且つミッドソールの内側表面と対向する底面２２２と、を含む。履物物品はまた、キャビティ内に受容された複数の繊維３００を含む。複数の繊維は、キャビティを少なくとも部分的に充填するメッシュ３１０を形成するために互いに協働する。【選択図】図２
2020099700.tif 000002
【特許請求の範囲】
【請求項１】
履物物品のためのソール構造であって、前記ソール構造は、
地面係合面を含むアウトソールと、
前記アウトソールの前記地面係合面と反対側に配置された中敷と、
前記アウトソールと前記中敷との間に配置された複数の繊維であって、互いに協働して前記アウトソールと前記中敷との間のキャビティを少なくとも部分的に充填するメッシュを形成する複数の繊維と、
前記キャビティ内に配置された粒状物質であって、前記メッシュの間質空間内に受容された粒状物質と、を含む、ソール構造。
【請求項２】
前記粒状物質は、前記複数の繊維に対して移動することが可能である、請求項１に記載のソール構造。
【請求項３】
前記複数の繊維は、前記メッシュ内における前記粒状物質の自由な動きを制限する、請求項１に記載のソール構造。
【請求項４】
前記複数の繊維は、互いに取り付けられている、請求項１に記載のソール構造。
【請求項５】
前記複数の繊維は、互いに対して移動可能である、請求項１に記載のソール構造。
【請求項６】
前記メッシュは、前記アウトソールによる動きのために固定される、請求項１に記載のソール構造。
【請求項７】
前記粒状物質は、発泡ビーズを含む、請求項１に記載のソール構造。
【請求項８】
前記発泡ビーズは、略球形状を含む、請求項７に記載のソール構造。
【請求項９】
前記発泡ビーズは、同じ寸法及び形状を含む、請求項７に記載のソール構造。
【請求項１０】
前記発泡ビーズは、異なる寸法及び形状の少なくとも１つを含む、請求項７に記載のソール構造。
【請求項１１】
前記メッシュは、前記アウトソールの長さに沿って異なる密度を含む、請求項１〜１０のいずれか一項に記載のソール構造。
【請求項１２】
前記アウトソールは、かかと領域と、前足領域と、前記かかと領域と前記前足領域との間に配置された中足領域と、を含む、請求項１に記載のソール構造。
【請求項１３】
前記メッシュは、前記かかと領域、前記前足領域、及び前記中足領域のうちの少なくとも１つにおいて異なる密度を有する、請求項１２に記載のソール構造。
【請求項１４】
前記メッシュは、前記かかと領域、前記前足領域、及び前記中足領域のそれぞれにおいて略一定の密度を有する、請求項１２に記載のソール構造。
【請求項１５】
前記メッシュは、前記かかと領域、前記前足領域、及び前記中足領域のそれぞれにおいて異なる密度を有する、請求項１２に記載のソール構造。
【請求項１６】
前記かかと領域、前記前足領域、及び前記中足領域は、複数の壁によって互いから分離される、請求項１２のソール構造。
【請求項１７】
前記複数の壁は、前記アウトソールの長手方向軸に対して略垂直に延在する、請求項１６に記載のソール構造。
【請求項１８】
前記複数の壁は、前記アウトソールから前記中敷の底面に向けて延在する、請求項１６に記載のソール構造。
【請求項１９】
前記複数の壁は、前記中敷の前記底面から離隔される、請求項１８に記載のソール構造。
【請求項２０】
前記複数の壁のうちの少なくとも１つは、前記中敷の前記底面と接触状態である、請求項１８に記載のソール構造。
【請求項２１】
前記複数の壁のそれぞれは、前記中敷の前記底面と接触状態である、請求項１８に記載のソール構造。
【請求項２２】
前記複数の壁は、前記かかと領域、前記前足領域、及び前記中足領域の間における前記粒状物質の動きを妨げる、請求項１６に記載のソール構造。
【請求項２３】
前記複数の壁は、前記かかと領域、前記前足領域、及び前記中足領域の間における前記粒状物質の動きを制限する、請求項１６に記載のソール構造。
【発明の詳細な説明】
【技術分野】
【０００１】
［関連出願の相互参照］
本願は、２０１５年９月２４日に出願された米国仮出願第６２／２２２，８２２号、２０１５年９月２４日に出願された米国仮出願第６２／２２２，８７３号、２０１５年９月２４日に出願された米国仮出願第６２／２２２，８５１号、２０１５年９月２４日に出願された米国仮出願第６２／２２２，８４２号、２０１５年９月２４日に出願された米国仮出願第６２／２２２，８３２号、及び、２０１５年９月２４日に出願された米国仮出願第６２／２２２，８１６号の優先権を主張し、それらの開示内容は、参照によりその全体が本明細書に組み込まれる。
【０００２】
本願開示は、履物物品内に粒状発泡体の移動を制限する要素と組み合わされた粒状発泡体を有する履物物品に関する。
【背景技術】
【０００３】
このセクションは本願開示に関連した背景技術情報を提供しており、この技術情報は、必ずしも先行技術ではない。
【０００４】
履物物品は通常、アッパーと、ソール構造とを含む。アッパーは、ソール構造上に足を受容し固定し、且つ支持するための任意の適切な材料から形成されることができる。アッパーは、靴紐、ストラップ、又は足の周りでアッパーのフィットを調節するための他の固定具と協働することができる。アッパーの底部分は、足の底面に近接しており、ソール構造に取り付けられる。
【０００５】
ソール構造は一般的に、地面とアッパーとの間に延在している積層構造体を含む。ソール構造ののうちの一のレイヤーはアウトソールを含み、このアウトソールは耐摩耗性及び地面に対する静止摩擦を提供する。アウトソールは、ゴム、又は、地面に対する静止摩擦を高めるとともに、耐久性及び耐摩耗性を提供する他の材料から形成されてもよい。ソール構造のうちの他の層は、アウトソールとアッパーとの間に配置されたミッドソールを含む。ミッドソールは足のためのクッション性を提供しており、一般的に、ポリマー発泡材料から少なくとも部分的に形成されており、このようなポリマー発泡材料は、地面反発力を減衰させることによって、足への衝撃を和らげるために、加えられた負荷の下で弾性的に圧縮する。ミッドソールは、アウトソールと対向する底面を一の側に画定するとともに、足の底面の外形に一致するように輪郭形成されることができる中敷を反対側に画定することができる。ソール構造はまた、アッパーの底部分に近接する空隙内に位置した快適性を高めるインソール又は中敷を含んでもよい。
【発明の概要】
【発明が解決しようとする課題】
【０００６】
ポリマー発泡材料を使用するミッドソールは、適用された負荷の下で、例えばウォーキング運動又はランニング運動中に、弾性的に圧縮する単一のスラブ（ｓｌａｂ）として一般的に構成される。一般的に、単一のスラブポリマー発泡体は、スラブが勾配負荷（ｇｒａｄｉｅｎｔ  ｌｏａｄ）の下で圧縮する際の、柔軟性及び反応性に関連したクッション特性のバランスに重点を置いて設計される。あまりにも柔らかいクッション性を提供するポリマー発泡体は、圧縮率を減少させ、繰り返された圧縮後に地面反発力を減衰させるミッドソールの能力を減少させるだろう。逆に、あまりにも硬いポリマー発泡体、それ故に、非常に高反応性であるポリマー発泡体は、柔軟性を犠牲にし、それによって快適性が失われる。ポリマー発泡体のスラブの複数の領域は、スラブ全体の柔軟性及び反応性のバランスをとるために、密度、硬度、エネルギーリターン、及び材料選択を変えることができるのに対して、柔軟性から反応性への勾配方法（ｇｒａｄｉｅｎｔ  ｍａｎｎｅｒ）で負荷をかけるポリマー発泡体の単一のスラブを生成することは、達成することが難しい。
【０００７】
本願明細書に記載された図面は、選択された構成の図示の目的のためであり、本願開示の範囲を限定するように意図されていない。
【図面の簡単な説明】
【０００８】
【図１】本開示の原理による履物物品の上部斜視図である。
【図２】アウトソールの内側表面とミッドソールの底面との間のキャビティ内に受容された複数の繊維及び粒状物質を示す図１の履物物品の分解図である。
【図３】アウトソールの内側表面とミッドソールの底面との間のキャビティ内に受容された複数の繊維と、キャビティ内に配置され、且つ複数の繊維によって形成されたメッシュの間質空間内に受容された粒状物質と、を示す図１のライン３−３に沿って切り取られた断面図である。
【図４】アウトソールの内側表面とミッドソールの底面との間のキャビティ内に受容された複数の繊維と、キャビティ内に配置され、且つ複数の繊維によって形成されたメッシュの間質空間内に受容された粒状物質と、を示す図３の鎖線で囲まれた領域４の詳細断面図である。
【図５】アウトソールによって画定されたキャビティ内に受容された複数の繊維によって形成されたメッシュと、アウトソールの周囲を取り囲む壁と、メッシュによって画定された間質空間内に受容された粒状物質と、を示す図１の履物物品のアウトソールの上部斜視図である。
【図６】本開示の原理による履物物品の上部斜視図である。
【図７】アウトソールの内側表面とミッドソールの底面との間のキャビティ内に受容されたメッシュの４つの領域を形成する複数の繊維を示す図６の履物物品の分解図である。
【図８】粒状物質を受容するための間質空間を画定するメッシュを２つ又は複数の領域内に分割するために、アウトソールの内側表面からミッドソールの底面に向けた方向において延在している複数の壁を示す図６のライン８−８に沿って切り取られた断面図である。
【図９】本開示の原理による履物物品の上部斜視図である。
【図１０】粒状物質を受容するための間質空間を画定するメッシュを２つ又は複数の領域内に分割するために、アウトソールの内側表面から延在し、且つミッドソールの底面と接触したポイントにおいて終端している複数の壁を示す図９のライン８−８に沿って切り取られた断面図である。
【図１１】本開示の原理による履物物品の上部斜視図である。
【図１２】アウトソールとミッドソールとの間のキャビティ内に存在しているメッシュと、メッシュによって画定された間質空間を少なくとも部分的に充填する粒状物質と、を示す図１１のライン１２−１２に沿って切り取られた断面図である。
【発明を実施するための形態】
【０００９】
対応する参照符号は、図面を通して対応する部品を指し示す。
【００１０】
例示的な構成は、添付の図面を参照してより完全に説明される。例示的な構成は、本開示が詳細であり、本開示の範囲を当業者に完全に伝えるように提供される。具体的な詳細な説明、例えば、本開示の構成の完全な理解を提供するために、具体的な構成要素、デバイス、及び方法の例は記載される。具体的な詳細な説明が採用される必要はなく、その構成例が多くの異なる形態で実施することができ、具体的な詳細な説明および構成例が本発明の範囲を限定するように解釈されるべきではないことは、当業者には明らかであろう。
【００１１】
本明細書で使用する用語は、特定の例示的な構成のみを説明する目的のためのものであり、限定されるように意図されない。本明細書で使用されるように、単数の冠詞「ａ」、「ａｎ」および「ｔｈｅ」は、文脈が他に明白に示さない限り、複数形も含むことが意図されている。「備える」、「備えている」、「含んでいる」、および「有している」との用語は包括的であり、それ故に、特徴、ステップ、動作、要素及び／又は構成要素の存在を特定するが、１つ又は複数の他の特徴、ステップ、動作、要素、構成要素、及び／又はそれらのグループの存在又は追加を除外するものではない。本明細書に記載された方法のステップ、プロセス、及び動作は、実行の順序として具体的に特定されない限り、必ずしも説明又は図示された特定の順序で実行を必要とすると解釈されるべきではない。追加のステップ又は代替的なステップは採用されてもよい。
【００１２】
ある要素又は層が他の要素又は層「上に」存在している、「に係合されている」、「に接続されている」、「に取り付けられている」、又は「に結合されている」と言及されている場合、他の要素又は層上に直接的に存在してもよく、に直接的に係合されてもよく、に直接的に接続されてもよく、に直接的に取り付けられてもよく、又はに直接的に結合されてもよく、或いは、介在する要素又は層が存在してもよい。対照的に、ある要素が他の要素又は層「上に直接的に存在する」、「に直接的に係合されている」、「に直接的に接続されている」、「に直接的に取り付けられている」、又は「に直接的に結合されている」と言及されている場合、介在する要素又は層が存在しない。これらの要素間の関係を説明するために使用される他の用語は、同様の方法で（例えば、「間に」対「間に直接的に」、「隣接する」対「直接的に隣接する」など）解釈されるべきである。本明細書で使用されるように、「及び／又は」という用語は、関連して列挙された項目のうちのいずれか及びこれらの項目のうちの１つ又は複数の全ての組み合わせを含む。
【００１３】
第１、第２、第３などの用語は、本明細書において、様々な要素、構成要素、領域、層及び／又はセクションを説明するために使用されることができる。これらの要素、構成要素、領域、層及び／又はセクションは、これらの用語によって限定されるべきではない。これらの用語は、ある要素、構成要素、領域、層、又はセクションを他の領域、層又はセクションと区別するためにのみ使用されてもよい。「第１」、「第２」などの用語および他の数学的用語は、文脈によって明白に示されない限り、順番又は順序を暗示していない。それ故に、以下に説明される第１の要素、構成要素、領域、層、又はセクションは、例示的構成の教示から逸脱することなく、第２の要素、構成要素、領域、層、又はセクションと呼ぶことができる。
【００１４】
本開示の一の態様は、アッパーと、アッパーに取り付けられたアウトソールとを有する履物物品を含む。アウトソールは、地面係合面と、内側表面と、アウトソールの周囲を取り囲んでいる壁とを含む。内側表面は、地面係合面に対してアウトソールの反対側に形成される。壁は、キャビティを画定するために、内側表面と協働する。履物物品は、アッパーとアウトソールとの間に配置されたミッドソールをさらに含む。ミッドソールは、中敷と、中敷に対してミッドソールの反対側に配置された底面であって、ミッドソールの内側表面と対向する底面と、を含む。履物物品はまた、キャビティ内に受容された複数の繊維であって、キャビティを少なくとも部分的に充填するメッシュを形成するために互いに協働する。粒状物質は、キャビティ内に配置され、且つメッシュの間質空間内に受容される。
【００１５】
いくつかの実施例において、粒状物質は、複数の繊維に対して移動することが可能であるのに対して、複数の繊維は、メッシュ内における粒状物質の自由な動きを制限する。複数の繊維は、互いに取り付けられてもよい。さらに、又は代替的に、複数の繊維は、互いに対して移動可能である。いくつかの実施例において、メッシュは、アウトソールによる動きのために固定される。メッシュは、ミッドソールの長さに沿って異なる密度を有してもよい。
【００１６】
いくつかの実施例において、キャビティ内に配置された粒状物質は、略同じ寸法及び形状又は少なくとも１つの異なる寸法及び形状を含む発泡ビーズを含む。それらの実施例において、発泡ビーズは、略球形状を含んでもよい。
【００１７】
いくつかの実施形態において、ミッドソールは、かかと領域と、前足領域と、かかと領域と前足領域との間に配置された中足領域と、を含む。いくつかの実施例において、メッシュは、かかと領域、前足領域、及び中足領域のうちの少なくとも１つにおいて異なる密度を有する。例えば、メッシュは、かかと領域、前足領域、及び中足領域のそれぞれにおいて異なる密度を有する。他の実施例において、メッシュは、かかと領域、前足領域、及び中足領域のそれぞれにおいて略一定の密度を有する。
【００１８】
履物物品はまた、かかと領域、前足領域、及び中足領域を分離する複数の壁を含んでもよい。いくつかのシナリオにおいて、複数の壁は、ミッドソールの長手方向軸に対して略垂直に延在する。例えば、複数の壁は、アウトソールの内側表面からミッドソールに向けて延在してもよい。いくつかの実施形態において、複数の壁は、ミッドソールの底面から離隔される。代替的には、複数の壁のうちの少なくとも１つは、ミッドソールの底面と接触状態になってもよい。任意選択的に、複数の壁のそれぞれは、ミッドソールの底面と接触状態になってもよい。複数の壁は、かかと領域、前足領域、及び中足領域の間における粒状物質の動きを妨げてもよく、又は制限してもよい。
【００１９】
本開示の他の態様は、アッパーと、アッパーに取り付けられたアウトソールと、を有する履物物品を含む。アウトソールは地面係合面を含み、中敷はアッパーとアウトソールとの間に配置される。履物物品はまた、アウトソールと中敷との間に配置された複数の繊維を含む。複数の繊維は、アウトソールと中敷との間のキャビティを少なくとも部分的に充填するメッシュを形成するために互いに協働する。履物物品はまた、キャビティ内に配置された粒状物質であって、メッシュの間質空間内に受容された粒状物質を含む。
【００２０】
いくつかの実施形態において、粒状物質は、複数の繊維に対して移動することが可能であるのに対して、複数の繊維は、メッシュ内における粒状物質の自由な動きを制限する。複数の繊維は、互いに取り付けられてもよい。さらに、又は代替的に、複数の繊維は、互いに対して移動可能である。いくつかの実施例において、メッシュは、アウトソールによる動きのために固定される。メッシュは、アウトソールの長さに沿って異なる密度を含んでもよい。
【００２１】
いくつかの実施例において、キャビティ内に配置された粒状物質は、略同じ寸法及び形状又は少なくとも１つの異なる寸法及び形状を含む発泡ビーズを含む。それらの実施例において、発泡ビーズは、略球形状を含んでもよい。
【００２２】
任意選択的に、アウトソールは、かかと領域と、前足領域と、かかと領域と前足領域との間に配置された中足領域と、を含む。いくつかの実施例において、メッシュは、かかと領域、前足領域、及び中足領域のうちの少なくとも１つにおいて異なる密度を有する。例えば、メッシュは、かかと領域、前足領域、及び中足領域のそれぞれにおいて異なる密度を有してもよい。他の実施例において、メッシュは、かかと領域、前足領域、及び中足領域のそれぞれにおいて略一定の密度を有する。
【００２３】
いくつかの実施形態において、かかと領域、前足領域、及び中足領域は、複数の壁によって互いから分離される。いくつかのシナリオにおいて、複数の壁は、アウトソールの長手方向軸に対して略垂直に延在する。例えば、複数の壁は、アウトソールから中敷の底面に向けて延在してもよい。いくつかの実施例において、複数の壁は、中敷の底面から離隔される。代替的には、複数の壁のうちの少なくとも１つは、中敷の底面と接触状態になる。任意選択的に、複数の壁のそれぞれは、中敷の底面と接触状態になる。複数の壁は、かかと領域、前足領域、及び中足領域の間における粒状物質の動きを妨げてもよく、又は制限してもよい。
【００２４】
本開示のさらなる他の態様において、履物物品を製造する方法は、中敷とアウトソールとの間にキャビティを提供するステップと、キャビティを少なくとも部分的に充填するメッシュを形成するために、互いに協働する複数の繊維をキャビティに提供するステップと、を含む。この方法はまた、メッシュの間質空間内に受容される粒状物質をメッシュに提供するステップを含む。
【００２５】
いくつかの実施形態において、複数の繊維をキャビティに提供するステップは、複数の繊維を互いに取り付けるステップを含む。複数の繊維をキャビティに提供するステップはまた、アウトソールによる動きのために複数の繊維を固定するステップを含んでもよい。
【００２６】
いくつかの実施例において、粒状物質をメッシュに提供するステップは、メッシュに発泡ビーズを提供するステップを含む。この方法は、略球形状を有する発泡ビーズを提供するステップをさらに含んでもよい。この方法は、略同じ寸法及び形状又は少なくとも１つの異なる寸法及び形状を有する発泡ビーズを提供するステップを含んでもよい。
【００２７】
いくつかの実施形態において、メッシュを提供するステップは、メッシュに、アウトソールの長さに沿って異なる密度を提供するステップを含む。いくつかの実施例において、この方法はまた、かかと領域と、前足領域と、かかと領域と前足領域との間に配置された中足領域とを有するアウトソールを提供するステップを含む。メッシュを提供するステップはまた、メッシュに、かかと領域、前足領域、及び中足領域のうちの少なくとも１つにおいて異なる密度を提供するステップを含んでもよい。例えば、メッシュは、かかと領域、前足領域、及び中足領域のそれぞれにおいて異なる密度を有してもよい。他の実施例において、メッシュは、かかと領域、前足領域、及び中足領域のそれぞれにおいて略一定の密度を有する。
【００２８】
任意選択的に、この方法はまた、かかと領域、前足領域、及び中足領域を分離するために複数の壁を提供するステップを含む。いくつかの実施例において、複数の壁を提供するステップは、ミッドソールの長手方向軸に対して略垂直な方向に複数の壁を延在させるステップを含む。いくつかのシナリオにおいて、この方法は、アウトソールから中敷の底面に向けて複数の壁を延在させるステップを含む。これらのシナリオにおいて、複数の壁のうちの少なくとも１つは、中敷の底面と接触状態になってもよい。代替的には、中敷の底面に向けて複数の壁を延在させるステップは、複数の壁の少なくとも１つを中敷の底面と接触するように延在させるステップを含む。中敷の底面に向けて複数の壁を延在させるステップは、中敷の底面と接触するように全ての複数の壁を延在させるステップを含むのに対して、中敷の底面に向けた方向において複数の壁を延在させるステップは、複数の壁のそれぞれを前記ミッドソールの前記底面と接触して配置するステップを含んでもよい。いくつかの実施形態において、この方法は、かかと領域、前足領域、及び中足領域の間における粒状物質の動きを妨げるステップ又は制限するステップを含む。
【００２９】
図１〜５を参照すると、いくつかの実施形態において、履物物品１０は、アッパー１００と、アッパー１００に取り付けられたソール構造２００と、を含む。履物物品１０は、１つ又は複数の部分に分割されてもよい。それらの部分は、前足部分１２と、中足部分１４と、かかと部分１６とを含んでもよい。前足部分１２は、つま先及び中足骨を足の指骨に接続する関節に対応してもよい。中足部分１４は、足の湾曲領域に対応してもよく、かかと部分１６は、踵骨を含む足の後方部分に対応してもよい。履物物品１０はそれぞれ、外側１８及び内側２０を含んでもよく、外側１８及び内側２０は履物物品１０の両側に対応しており、部分１２、１４、１６を通じて延在している。
【００３０】
アッパー１００は、ソール構造２００上への支持のために足を受容し且つ固定するように構成された内部空間１０２を画定する内側表面を含む。かかと部分１６における足首開口部１０４は、内部空間１０２へのアクセスを提供することができる。例えば、足首開口部１０４は、内部空間１０２内に足を固定するように、且つ、内部空間１０２へ足を入れること及び内部空間１０２から足を出すことを容易にするように、足を受容することができる。いくつかの実施例において、１つ又は複数の固定具１０６はアッパー１００に沿って延在しており、内部空間１０２へ足を入れたり内部空間１０２から足を出したりするのを同時に調整するとともに、足の周りの内部空間１０２のフィットを調節する。アッパー１００は、小穴などの孔及び／又はファブリックループやメッシュループなどの他の係合特徴を含んでもよい。これらの係合特徴は、固定具１０６を受容する。固定具１０６は、靴紐、ストラップ、コード、面ファスナ、又は他の適切な種類の固定具を含んでもよい。
【００３１】
アッパー１００は、内部空間１０２と固定具１０６との間に延在している舌部分１１０を含んでもよい。アッパー１００は、１つ又は複数の材料から形成されることができ、これらの材料は、内部空間１０２を形成するように一緒にステッチ加工される、又は接着剤を使用して接着される。アッパーの適切な材料は、これらに限定されないが、織物、発泡体、皮革、および合成皮革を含んでもよい。これらの材料は、耐久性、通気性、耐摩耗性、柔軟性、及び快適性の特性を付与するように選択されてもよく、且つ配置されてもよい。
【００３２】
いくつかの実施形態において、ソール構造２００は、アウトソール２１０と、ミッドソール２２０と、を含み、アウトソール２１０及びミッドソール２２０は、積層構成で配置されている。例えば、アウトソール２１０は、履物物品１０の使用中に地面と係合しており、ミッドソール２２０はアッパー１００とアウトソール２１０との間に配置されている。いくつかの実施例において、ソール構造２００はまた、インソールや中敷などの追加の層を組み込んでもよい。これらの追加の層は、履物物品１０の快適さを高めるために、足の足底面を受容するように、アッパー１００の内部空間１０２内に存在してもよい。いくつかの実施例において、側壁２３０は、アウトソール２１０の周囲を取り囲み、その間にキャビティ２４０を画定するように、アウトソール２１０とミッドソール２２０とを分離する。キャビティ２４０は、履物物品１０の使用中に、足のためにクッション性を提供するように、且つキャビティ２４０内に存在している粒状物質の移動を制御するように、複数の繊維３００を受容する。
【００３３】
複数の繊維３００は、メッシュ３１０を形成するために互いに協働してもよく、このメッシュ３１０はキャビティ２４０を少なくとも部分的に充填する。例えば、メッシュ３１０は、アウトソール２１０に存在してもよく、且つキャビティ２４０の容積の一部を占めてもよい。メッシュ３１０及び粒状物質３５０は、キャビティ２４０内に存在してもよく、従来のミッドソールが提供する機能性及びクッション特性を高めるために協働してもよい。例えば、各繊維３００は、エチル−ビニルアセテート（ｅｔｈｙｌ−ｖｉｎｙｌ−ａｃｅｔａｔｅ）又はポリウレタンなどの１つまたは複数のポリマー発泡材料を含んでもよく、これらのポリマー発泡材料はメッシュ３１０を形成するために互いに協働する。メッシュ３１０は、足の輪郭に一致している形状に形成されてもよい。ポリマー発泡材料の複数の繊維３００は、メッシュ３１０が、地面反発力を減衰させるように、且つキャビティ２４０内に存在している粒状物質３５０の動きを制御するように、適用された負荷の下で、弾性圧縮性を提供することを可能にしてもよい。例えば、メッシュ３１０は、粒状物質３５０を受容する間質空間３０２を画定してもよい。個々の繊維３００は、キャビティ２４０内における粒状物質３５０の自由な動きを制限することができ、より具体的には、間質空間３０２の間の自由な動きを制限することができる。個々の繊維３００がキャビティ２４０内における粒状物質３５０の自由な動きを制限するのに対して、粒状物質３５０は、間質空間３０２内で繊維３００に対して（つまり、隣接する繊維３００の周りで）移動することを可能にする。間質空間３０２は、粒状物質３５０によって充填されることができる、又は占有されることができるメッシュ３１０内の容積的自由空間（ｖｏｌｕｍｅｔｒｉｃ  ｆｒｅｅ  ｓｐａｃｅ）の空隙について言及する。
【００３４】
いくつかの実施例において、粒状物質３５０は、メッシュ３１０によって画定された間質空間３０２を占有するように寸法決めされ、且つ形成された発泡ビーズを含む。発泡ビーズ３５０は、略同じ寸法及び形状を含んでもよい。逆に、他のシナリオにおいて、発泡ビーズ３５０は、少なくとも１つの異なる寸法及び形状を有する。発泡ビーズ３５０（例えば、粒状物質３５０）は、略球形状を有してもよい。発泡ビーズ３５０に略球形状を提供することによって、発泡ビーズ３５０は、繊維３００に付着することなく、且つ間質空間３０２内の発泡ビーズ３５０の分散を妨げることなく、メッシュ３１０によって画定された間質空間３０２を十分に満たすことを可能にする。
【００３５】
いくつかの実施例において、アウトソール２１０は、地面係合面２１２と、反対側の内側表面２１４と、を含む。アウトソール２１０は、アッパー１００に取り付けられてもよい。いくつかの実施例において、側壁２３０は、アウトソール２１０の周囲から延在しており、ミッドソール２２０又はアッパー１００に取り付けられる。図１の例は、前足部分１２の先端に近接してアッパー１００に取り付けられているアウトソール２１０を示す。アウトソール２１０は、履物物品１０の使用中に、耐摩耗性（ａｂｒａｓｉｏｎ−ｒｅｓｉｓｔａｎｃｅ）及び地面に対する静止摩擦（ｔｒａｃｔｉｏｎ）を提供する。アウトソール２１０は１つ又は複数の材料から形成されてもよく、これらの材料は、耐久性及び耐摩耗性を与え、地面に対する静止摩擦を高める。例えば、ゴムは、アウトソール２１０の少なくとも１部分を形成してもよい。
【００３６】
ミッドソール２２０は、底面２２２と、底面２２２に対してミッドソール２２０の反対側に位置した中敷面２２４と、を含んでもよい。ミッドソール２２０は、中敷としても言及されてもよい。従って、ミッドソール２２０及び中敷２２０との用語は、この開示の至る所で交互に使用されることができる。ステッチ加工２２６又は接着剤は、ミッドソール２２０をアッパー１００に固定してもよい。中敷面２２４は、足の底面（例えば、足底面）の外形に一致するように成形されてもよい。いくつかの実施例において、インソール又は中敷は、アッパー１００の内部空間１０２の少なくとも１部分内で足の下の中敷面２２４に配置されてもよい。底面２２２は、その間にキャビティ２４０を画定するように、アウトソール２１０の内側表面２１４と対向してもよい。
【００３７】
ミッドソール２２０は、履物物品１０の使用中に、足が、キャビティ２４０内に存在しているメッシュ３１０及び粒状物質３５０に一致することを可能にするフレキシブルな材料から形成されてもよい。そうすることで、フレキシブルなミッドソール２２０はフレキシブルなシュトローベル（ｓｔｒｏｂｅｌ）であってもよく、このシュトローベルは、ソール構造２００の勾配負荷中に、キャビティ２４０内に存在しているメッシュ３１０及び粒状物質３５０が、足の底面の外形と相互作用することを可能にする。いくつかの実施例において、側壁２３０は、底面２２２と内側表面２１４との間の分離の長さに基づいて、キャビティ２４０の周囲及びキャビティ２４０の深さを画定してもよい。１つまたは複数のポリマー発泡材料は、地面反発力を減衰するように、適用された負荷の下で、弾性圧縮性を提供するために側壁２３０を形成してもよい。
【００３８】
図２は、複数の繊維３００によって形成されたメッシュ３１０であって、アウトソール２１０の内側表面２１４上でキャビティ２４０内に存在しているメッシュ３１０を示す履物物品１０の分解図を提供する。メッシュ３１０は、アウトソール２１０による動きのために固定されてもよい。例えば、メッシュ３１０及びアウトソール２１０は、ソール構造２００が適用された負荷の下にある場合に、例えばウォーキング中、ランニング中、又はジャンピング中に、曲げることができ、屈曲することができ、あるいは変形することができる。図２の例は、キャビティ２４０内に配置された粒状物質３５０（例えば、発泡ビーズ）であって、メッシュ３１０の間質空間３０２内に存在している粒状物質３５０（例えば、発泡ビーズ）を示す。
【００３９】
図３を参照すると、図１のライン３−３に沿って切断された概略的な断面図は、アウトソール２１０の内側表面２１４とミッドソール２２０の底面２２２との間でキャビティ２４０内に存在するメッシュ３１０を示す。アウトソール２１０の内側表面２１４及びミッドソール２２０（例えば、中敷）の底面２２２は、平行に配置されており、前足部分１２、中足部分１４、及びかかと部分１６を通じて延在しているソール構造２００の長手方向軸Ｌを画定するように互いに対向している。この例は、メッシュ３１０の間質空間３０２内に存在している粒状物質３５０（例えば、発泡ビーズ）を示す。複数の繊維３００は、対応する間質空間３０２を占有している粒状物質３５０が間質空間３０２を画定する隣接する繊維３００に対して移動するのを可能にすることができる。それによって、複数の繊維３００は、メッシュ３１０内における粒状物質３５０の自由な動きを制限し、それによって、繰り返された圧縮中に、ソール構造２００のキャビティ２４０の至る所に粒状物質３５０が移動するのを妨げる。一方、粒状物質３５０がメッシュ３１０を有することなくキャビティ２４０内に大まかに分散された場合に、粒状物質３５０は、繰り返された圧縮中に、ソール構造２００の至る所に自由に移動することができ、それによって、ソール構造２００の複数の領域内においてクッション性がほとんどなくなるか、又はクッション性が全くなくなる。
【００４０】
図４は、図３の鎖線で囲まれた領域４の詳細図であり、この詳細図は、ソール構造２００の中足部分１４に近接してキャビティ２４０内に存在している複数の繊維３００及び粒状物質３５０を示す。図４は、メッシュ３１０によって画定された間質空間３０２を示しており、この間質空間３０２は、隣接する繊維３００に対して定着し、且つ移動するための粒状物質３５０の空隙を生成する。いくつかの実施例において、繊維３００はメッシュ３１０を形成するために互いに結合される。任意選択的に、１つ又は複数の繊維３００は取り付けられていなくてもよく、メッシュ３１０を形成するために、取り付けられた複数の繊維３００と協働してもよい。他の実施例において、全ての繊維３００は取り付けられておらず、メッシュ３１０を形成するために協働する。さらに、複数の繊維３００は、アウトソール２１０によるメッシュ３１０の一定の動きを可能にするために、互いに対して移動可能であってもよい。例えば、複数の繊維３００は、地面反発力に応じて、又はアウトソール２１０の曲げ又は屈曲に応じて、圧縮することができる。それによって、互いに対して繊維３００が移動し、曲げられる又は屈曲しているアウトソール２１０に対してメッシュ３１０が移動する。複数の繊維３００が個々の繊維３００であるように記載され且つ図示されるので、メッシュ３１０は、メッシュ３１０の構造内に織り込まれている単一の繊維から形成されることができる。
【００４１】
図３及び図４は、ミッドソール２２０の底面２２２とアウトソール２１０の内側表面２１４との間でキャビティ２４０内に存在しているメッシュ３１０、メッシュ３１０によって画定された間質空間３０２内に存在している粒状物質３５０、及び、隣接する繊維３００に対して粒状物質３５０のある程度の動きを可能にするとともに、ソール構造２００の至る所で粒状物質３５０の自由な動きを制限する複数の繊維３００を示す。それによって、ソール構造２００の勾配負荷中に、ウォーキング運動中又はランニング運動中に、メッシュ３１０及び粒状物質３５０は、柔軟から反応へのクッション性を提供するために協働してもよい。例えば、粒状物質３５０は、地面反発力の最初の衝撃中にソフトタイプのクッション性のレベルを提供してもよいのに対して、メッシュ３１０及び個々の繊維３００による圧縮は反応タイプのクッション性のレベルを提供してもよい。粒状物質３５０及びメッシュ３１０は、地面反発力に応じてアウトソール２１０に向けて移動するミッドソール２２０によって圧縮されてもよい。複数の繊維３００を実施することは、粒状物質３５０がソール構造２００の至る所へ移動することを制限し、それによって、粒状物質３５０がキャビティ２４０内の指定領域において効果的に分散されること及び粒状物質３５０がキャビティ２４０内の指定領域において効果的に含有されることを可能にし、所望のクッション特性を着実に達成することができる。さらに、粒状物質３５０が隣接する繊維３００に対して対応する間質空間３０２に関して移動することを可能にすることによって、ソフトタイプのクッション性のレベルは、ソール構造２００に適用される地面反発力の方向及び大きさに基づいて動的に分配されることができる。
【００４２】
いくつかの実施形態において、ソール構造２００の長さは、前足部分１２、中足部分１４、及びかかと部分１６のそれぞれを通じて長手方向軸Ｌに沿って画定される。メッシュ３１０は、ソール構造２００（例えば、ミッドソール２２０及びアウトソール２１０）の長さに沿って異なる密度を含んでもよい。例えば、メッシュ３１０は、かかと部分１６、前足部分１２、及び中足部分１４の少なくとも１つにおいて異なる密度を含んでもよい。いくつかの実施例において、メッシュ３１０の密度は、かかと部分１６、前足部分１２、及び中足部分１４のそれぞれにおいて異なっている。他の実施例において、メッシュ３１０の密度は、かかと部分１６、前足部分１２、及び中足部分１４のそれぞれにおいて略一定である。
【００４３】
メッシュ３１０の密度は、メッシュ３１０の間質空間３０２内に存在することを可能にする粒状物質３５０の量を規定するとともに、適用された負荷の下でメッシュ３１０が提供する反応タイプのクッション性のレベルと相関関係がある。例えば、メッシュ３１０の密度を増加させることは、メッシュ３１０によって提供された反応タイプのクッション性のレベルを増加させ、間質空間３０２の容積（例えば、空隙）を減少させ、それによって、間質空間３０２内に存在することが可能である粒状物質３５０の量の減少が生じる。逆に、メッシュ３１０の密度を減少させることは、間質空間３０２の容積を増加させ、それによって、結果として、間質空間３０２内に存在することが可能である粒状物質３５０の量を増加させる。それ故に、粒状物質３５０によって提供されたソフトタイプのクッション性のレベルは、粒状物質３５０の量が増加するにつれて増加し、反応タイプのクッション性のレベルは、メッシュ３１０の密度が減少する場合に減少する。
【００４４】
図５を参照すると、いくつかの実施例において、メッシュ３１０に前足部分１２、中足部分１４、及びかかと部分１６の少なくとも１つにおいて異なる密度を提供することは、キャビティ２４０内に配置された粒状物質３５０の量が前足部分１２、中足部分１４、及びかかと部分１６の対応する箇所において異なることを可能にする。図５は、前足部分１２及びかかと部分１６のそれぞれの密度より大きい、中足部分１４の密度を有するメッシュ３１０を示す。それ故に、前足部分１２及びかかと部分１６は、中足部分１４の間質空間３０２の容積と比較してより大きな容積を有する間質空間３０２を含み、それによって、中足部分１４におけるキャビティ２４０内に配置された粒状物質３５０の割合より、前足部分１２及びかかと部分１６のそれぞれにおけるキャビティ２４０内に配置された粒状物質３５０の高い割合を可能にする。いくつかの実施例において、前足部分１２及びかかと部分１６におけるキャビティ２４０内に粒状物質３５０の高い割合を配置することは有利には、ソフトタイプのクッション性のレベルを、かかと部分１６と前足部分１２の両方において増加させることを可能にし、かかと部分１６において地面反発力の初期衝撃が起こる可能性があり、前足部分１２において、足を前方に進ませるために、地面をけり出しているアウトソール２１０の地面係合面２１２に応じて、地面反発力は増加する。同時に、有利には、中足部分１４におけるより高い密度のメッシュ３１０は、かかと部分１６と前足部分１２との間で地面と係合するために地面係合面２１２が反るにつれて、反応タイプのクッション性のレベルを増加させる。
【００４５】
図１〜５の実施例は、キャビティ２４０を占有しているメッシュ３１０の密度及びメッシュ３１０の容積が、キャビティ２４０内に存在している粒状物質３５０の量と、ソール構造２００が付与された負荷下にある場合に、例えばウォーキング運動又はランニング運動中に提供されたクッション特性とをもたらすことを示す。例えば、ソール構造２００の１つ又は複数の部分においてメッシュ３１０の密度を増加させることは、反応タイプのクッション性のレベルを増加させることができ、ソフトタイプのクッション性のレベルを低下させることができる。この実施例において、ソフトタイプのクッション性のレベルは、間質空間３０２の容積を減少させるようにメッシュ３１０の密度が増加した結果として減少する。それ故に、それらの間質空間３０２内に存在するのを可能にした粒状物質３５０の量における減少が生じる。さらに、メッシュ３１０を形成する個々の繊維３００は、ソール構造２００による繰り返された圧縮後に、キャビティ２４０の至る所で粒状物質３５０による自由な動きを制限するように協働する。メッシュ３１０はまた、間質空間３０２内に存在する粒状物質３５０が、地面反発力に応じて対応する間質空間３０２に隣接する複数の繊維３００に対して移動することを可能にすることができる。
【００４６】
図６〜８を参照すると、いくつかの実施形態において、履物物品１０ａは、アッパー１００と、アッパー１００に取り付けられたソール構造２００ａと、を含む。履物物品１０ａに対して履物物品１０に関連した構成要素の構造及び機能における実質的な類似性を考慮すると、同様の参照符号は、同様の構成要素を特定するためにこの明細書の後の説明及び図面において使用されるとともに、拡張文字を含む同様の参照符号は、修正されるそれらの構成要素を特定するために使用される。
【００４７】
ソール構造２００ａは、積層構造で配置されたアウトソール２１０ａ及びミッドソール２２０ａ（例えば、中敷２２０ａとしても言及されている）を含んでもよい。側壁２３０は、アウトソール２１０ａの周囲を取り囲んでもよく、それらの間にキャビティ２４０ａを画定するためにアウトソール２１０ａ及びミッドソール２２０ａを分離することができる。アウトソール２１０ａは、地面係合面２１２に対してアウトソール２１０ａの反対側に配置された内側表面２１４ａを含む。ミッドソール２２０ａは、中敷面２２４に対して、ミッドソール２２０ａの反対側に配置された底面２２２ａを含む。底面２２２ａは、内側表面２１４ａと対向しており、側壁２３０は、キャビティ２４０ａの深さを画定するために、底面２２２ａ及び内側表面２１４ａを分離することができる。
【００４８】
いくつかの実施形態において、複数の繊維３００は、メッシュ３１０ａを形成するように、互いと協働する。図７は、キャビティ２４０ａを部分的に充填するメッシュ３１０ａと、メッシュ３１０ａによって画定された間質空間３０２ａ内に存在することができる粒状物質３５０と、を示している履物物品１０ａの分解図である。間質空間３０２ａは、履物物品１０に関して上部に記載されるように、粒状物質３５０の量を受容し且つ含有するための容積的な空間又は間隙を画定する。言い換えれば、キャビティ２４０ａ内に配置された粒状物質３５０は、間質空間３０２ａ内に定着し、隣接する繊維３００によって制限される。メッシュ３１０ａの底面３１２は、メッシュ３１０の周囲が側壁２３０によって包囲されることができる状態で、アウトソール２１０ａの内側表面２１４ａ上に配置されてもよい。メッシュ３１０ａの上面３１４は、ミッドソール２２０ａの底面２２２ａと対向している。メッシュ３１０ａは、アウトソール２１０ａ及びミッドソール２２０ａを分離している側壁２３０によって画定されたキャビティ２４０ａの深さを全体的に充填することができる、又は部分的に充填することができる。ミッドソール２２０ａは、十分な柔軟性をミッドソール２２０ａに提供するために、図１〜５のミッドソール２２０を形成するフレキシブル材料から形成されることができる。それによって、キャビティ２４０ａ内に存在するメッシュ３１０ａ及び粒状物質３５０が、ソール構造２００ａの勾配負荷中に、足の底面の外形と相互作用することを可能にする。
【００４９】
いくつかの実施例において、メッシュ３１０ａは、１つ又は複数の溝７２、７４、７６を形成し、これらの溝７２、７４、７６は、外側１８と内側２０との間で延在しており、且つ底面３１２からメッシュ３１０ａの上面３１４に向けて延在している。一の溝７２は、ソール構造２００ａの前足部分１２に近接して位置することができ、他の溝７４は、ソール構造２００ａの中足部分１４に近接して位置することができ、他の溝７６はソール構造２００ａのかかと部分１６に近接して位置することができる。いくつかの構成において、メッシュ３１０ａのつま先領域７１０は図７に示された図面において溝７２の右側に形成されており、前足領域７１２は溝７２と溝７４との間に形成されており、中足領域７１４は溝７４と溝７６との間に形成されており、かかと領域７１６は図７に示された図面において溝７６の左側に形成される。他の構成において、溝７２は省略されてもよく、前足領域７１２は溝７４の右側に形成されてもよく、つま先領域７１０の容積をさらに含んでもよい。
【００５０】
いくつかの構成において、複数の溝７２〜７６は、メッシュ３１０ａ内で終端しており、対応する複数の隙間は上面３１４と複数の溝７２〜７６とを分離し、それによって、いくつかの粒状物質３５０が、複数の隙間を介して隣接する領域７１２〜７１６の間で移動することを可能にする。しかしながら、複数の溝７２〜７６の遠位端部の下に存在している粒状物質３５０は、対応する領域７１２〜７１６を分離する複数の障壁又は複数の壁として作用している対応する複数の溝７２〜７６に起因して、隣接する領域７１２〜７１６の間の自由な動きを制限されるだろう。逆に、他の構成は、隣接する領域７１２〜７１６の間の移動又は動きを妨げるために、上面３１４と接触する対応ポイントにおいて終端する１つ又は複数の溝７２〜７６を含んでもよい。
【００５１】
いくつかの実施例において、メッシュ３１０ａは、１つまたは複数の領域７１０〜７１６のそれぞれにおいて略一定の密度を有する。他の実施例において、メッシュ３１０ａは、複数の領域７１０〜７１６のうちの１つ又は複数の領域のそれぞれにおいて異なる密度を有する、又は複数の領域７１０〜７１６の少なくとも１つにおいて異なる密度を有する。従って、粒状物質３５０の異なる量は、複数の領域７１０〜７１６のそれぞれにおける所望されたクッション特性を提供するために、その密度に基づいて対応する領域７１２〜７１６によって画定された間質空間３０２ａ内に存在してもよい。いくつかの構成において、複数の溝７２〜７６のうちの１つ又は複数の溝は、省略されてもよく、１つ又は複数の領域７１０〜７１６は、メッシュ３１０ａの密度の変化に基づいて形成されてもよい。
【００５２】
図８は、図６のライン８−８に沿って切り取られた概略的断面図を示しており、この概略的断面図は、キャビティ２４０ａを部分的に充填するメッシュ３１０ａと、メッシュ３１０ａによって画定された間質空間３０２ａ内に存在する粒状物質３５０とを示す。いくつかの実施形態において、一連の壁８２、８４、８６は、外側１８と内側２０との間で延在しており、アウトソール２１０ａの内側表面２１４ａからミッドソール２２０ａ（例えば、中敷）の底面２２２ａに向けてソール構造２００ａ（例えば、ミッドソール２２０ａ及びアウトソール２１０ａ）の長手方向軸Ｌに対して実質的に垂直に延在している。いくつかのシナリオにおいて、アウトソール２１０ａは、一連の壁８２〜８４を形成しており、これらの壁８２〜８４は、ミッドソール２２０ａに向けた方向において内側表面２１４ａから上向きに折り曲げられる。いくつかの実施例において、各壁８２、８４、８６は、メッシュ３１０ａ内に形成された複数の溝７２、７４、７６のうちの対応する溝を受容するように輪郭形成される。他の実施例において、複数の溝７２、７４、７６のうちの１つ又は複数の溝は、図８に示されるように省略されてもよい。
【００５３】
一の壁８２は、ソール構造２００ａの前足部分１２に近接して位置することができ、他の壁８４はソール構造２００ａの中足部分１４に近接して位置することができ、他の壁８６はソール構造２００ａのかかと部分１６に近接して位置することができる。いくつかの構成において、一連の壁８２〜８６は、図８に示された図面において壁８２の右側にメッシュ３１０ａのつま先領域７１０を形成するために、壁８２と壁８４との間に前足領域７１２を形成するために、壁８４と壁８６との間に中足領域７１４を形成するために、且つ図８に示された図面において壁８６の左側にかかと領域７１６を形成するために、メッシュ３１０ａと協働する。他の構成において、壁８２は省略されてもよく、前足領域７１２は図８に示された図面において壁８４の右側に形成されてもよい。それ故に、複数の壁８２〜８６は、複数の領域７１０〜７１６を形成し且つ分離するために、複数の溝７２〜７６を有する又は有さないメッシュ３１０ａと協働してもよい。
【００５４】
図８の例は、複数の壁８２、８４、８６のそれぞれが、ミッドソール２２０ａに向けた方向においてアウトソール２１０ａの内側表面２１４ａから延在しており、且つミッドソール２２０ａの底面２２２ａと接触することなくキャビティ２４０ａ内で終端していることを示す。キャビティ２４０ａ内における複数の壁８２〜８６の終端は対応する隙間を画定しており、これらの隙間は、底面２２２ａと複数の壁８２〜８６の遠位端部とを分離する。それによって、いくつかの粒状物質３５０が、複数の隙間を介して隣接する領域７１０〜７１６の間で移動することを可能にする。しかしながら、複数の壁８２〜８６の遠位端部の下に存在している粒状物質３５０は、隣接する領域７１０〜７１６の間の動きを制限される。言い換えれば、複数の壁８２〜８６は、隣接する領域７１０〜７１６の間の遠位端部の下に存在する粒状物質３５０の動きを制限するのに対して、遠位端部の上に存在する粒状物質３５０が、複数の隙間を介して隣接する領域７１０〜７１６の間で移動するのを可能にする。
【００５５】
上記のように、メッシュ３１０ａは、いくつかの実施例において、複数の領域７１０〜７１６のそれぞれにおいて略一定の密度を有してもよいのに対して、他の実施例において、メッシュ３１０ａは、複数の領域７１０〜７１６のうちの少なくとも１つにおいて異なる密度を有してもよく、又は複数の領域７１０〜７１６のそれぞれにおいて異なる密度を有してもよい。例えば、図８は、中足領域７１４におけるメッシュ３１０ａの密度より、つま先領域７１０、前足領域７１２、及びかかと領域７１６において低い密度を有するメッシュ３１０ａを示す。それによって、中足領域７１４において間質空間３０２ａ内に存在している粒状物質３５０の割合よりも、つま先領域７１０、前足領域７１２、及びかかと領域７１６のそれぞれにおいてメッシュ３１０ａの間質空間３０２ａ内に存在している粒状物質３５０の大きな割合が生じる。従って、ソフトタイプのクッション性のレベルは  つま先領域７１０、前足領域７１２、及びかかと領域７１６のそれぞれにおいて望ましく増加することができ、反応タイプのクッション性のレベルは中足領域７１４において増加することができる。
【００５６】
図９及び図１０を参照すると、いくつかの他の実施形態において、履物物品１０ｂは、アッパー１００と、アッパー１００に取り付けられたソール構造２００ｂと、を含む。履物物品１０ｂに対して履物物品１０に関連した構成要素の構造及び機能における実質的な類似性を考慮して、同様の参照符号は同様の構成要素を特定するためにこの明細書の後の説明及び図面において使用されるとともに、拡張文字を含む同様の参照符号が改良されるそれらの構成要素を特定するために使用される。
【００５７】
ソール構造２００ｂは、積層構造で配置されたアウトソール２１０ｂ及びミッドソール２２０ｂ（例えば、中敷２２０ｂとしても言及される）を含んでもよい。側壁２３０は、アウトソール２１０ｂの周囲を取り囲むことができ、それらの間にキャビティ２４０ｂ（図１０）を画定するように、アウトソール２１０ｂ及びミッドソール２２０ｂを分離することができる。アウトソール２１０ｂは、地面係合面２１２に対してアウトソール２１０ｂの反対側に配置された内側表面２１４ｂを含む。ミッドソール２２０ｂは、中敷面２２４に対してミッドソール２２０ｂの反対側に配置された底面２２２ｂを含む。底面２２２ｂは内側表面２１４ｃと対向しており、側壁２３０は、キャビティ２４０ｂの深さを画定するように、底面２２２ｂ及び内側表面２１４ｂを分離することができる。
【００５８】
図１０は、図９のライン１０−１０に沿って切り取られた断面図を示す。複数の繊維３００は、キャビティ２４０ｂを部分的に充填するメッシュ３１０ｂを形成するために互いと協働することができ、粒状物質３５０は、メッシュ３１０ｂによって画定された間質空間３０２ａ内に存在する。間質空間３０２ｂは、粒状物質３５０の量を受容し且つ含有するための容積的な空間又は空隙を画定する。言い換えれば、キャビティ２４０ｂ内に配置された粒状物質３５０は間質空間３０２ｂ内に定着しており、隣接する繊維３００によって制限される。メッシュ３１０ｂは、アウトソール２１０ｂ及びミッドソール２２０ｂを分離する側壁２３０によって画定されたキャビティ２４０ｂの深さを全体的に又は部分的に充填することができる。メッシュ３１０ｂは、図６〜８を参照して上部に記載されるように、メッシュ３１０ａ内に形成された複数の溝７２、７４、７６を示す１つ又は複数の溝１７２、１７４、１７６を形成してもよい。いくつかのシナリオにおいて、メッシュ３１０ｂは、複数の溝１７２、１７４、１７６を有していない。
【００５９】
いくつかの実施形態において、一連の壁１８２、１８４、１８６は、外側１８と内側２０との間で延在しており、アウトソール２１０ｂの内側表面２１４ｂからソール構造２００ｂ（例えば、ミッドソール２２０ｂ及びアウトソール２１０ｂ）の長手方向軸Ｌに対して略垂直に延在しており、ミッドソール２２０ｂの底面２２２ｂと接触状態になる。いくつかのシナリオにおいて、アウトソール２１０ｂは一連の壁１８２〜１８４を形成しており、これらの壁１８２〜１８４は、ミッドソール２２０ｂに向けた方向において内側表面２１４ｂから上向きに折り曲げられる。メッシュ３１０ｂが複数の溝１７２〜１７６を含む場合に、各壁１８２、１８４、１８６は、メッシュ３１０ｂ内に形成された複数の溝１７２、１７４、１７６のうちの対応する溝を受容にするように輪郭形成される。
【００６０】
一の壁１８２は、ソール構造２００ｂの前足部分１２に近接して位置することができ、他の壁１８４はソール構造２００ｂの中足部分１４に近接して位置することができ、他の壁１８６はソール構造２００ｂのかかと部分１６に近接して位置することができる。いくつかの構成において、メッシュ３１０ｂのつま先領域８１０は、図１０に示された図面において壁１８２の右側に形成されており、前足領域８１２は壁１８２と壁１８４との間に形成されており、中足領域８１４は壁１８４と壁１８６との間に形成されており、かかと領域８１６は図１０に示された図面において壁１８６の左側に形成される。他の構成において、壁１８２は省略されてもよく、前足領域８１２は図１０に示された図面において壁１８４の右側に形成されてもよく、つま先領域８１０の容積をさらに含んでもよい。それ故に、メッシュ３１０ｂがキャビティ２４０ｂを少なくとも部分的に充填する場合に、複数の壁１８２〜１８６は、メッシュ３１０ｂを、つま先領域８１０、前足領域８１２、中足領域８１４、及びかかと領域８１６に分離する。
【００６１】
図１０の例は、複数の壁１８２、１８４、及び１８６のそれぞれが、ミッドソール２２０ｂに向けた方向においてアウトソール２１０ｂの内側表面２１４ｂから延在しており、ミッドソール２２０ｂの底面２２２ｂと接触するポイントにおいてキャビティ２４０ｃ内で終端していることを示す。いくつかの実施例において、複数の壁１８２、１８４、及び１８６のうちの少なくとも１つは、底面２２２ｂと接触状態となるのに対して、他の壁は、キャビティ２４０ａ内で終端することができ、底面２２２ｂから離隔された対応する遠位端部を有することができる。底面２２ｂとの接触ポイントにおける複数の壁１８２〜１８６の終端は複数の領域８１０〜８１６を全体的に分離しており、複数の領域８１０〜８１６を区分けし、一の領域８１０〜８１６から他の領域への粒状物質３５０の動きを妨げる。
【００６２】
いくつかの実施例において、メッシュ３１０ｂは、複数の領域８１０〜８１６のそれぞれにおいて略一定の密度を有する。逆に、他の実施例において、メッシュ３１０ａは、複数の領域８１０〜８１６のうちの少なくとも１つにおいて異なる密度を有する、又は複数の領域８１０〜８１６のそれぞれにおいて異なる密度を有する。例えば、図１０は、中足領域８１４におけるメッシュ３１０ｂの密度よりも、つま先領域８１０、前足領域８１２、及びかかと領域８１６において低い密度を有するメッシュ３１０ｂを示す。それによって、中足領域８１４において間質空間３０２ｂ内に存在している粒状物質３５０の割合よりも、つま先領域８１０、前足領域８１２、及びかかと領域８１６のそれぞれにおいてメッシュ３１０ｂの間質空間３０２ｂ内に存在している粒状物質３５０の大きな割合が生じる。従って、ソフトタイプのクッション性のレベルは  つま先領域８１０、前足領域８１２、及びかかと領域８１６のそれぞれにおいて望ましく増加することができ、反応タイプのクッション性のレベルは中足領域８１４において増加することができる。ミッドソール２２０ｂは、十分な柔軟性をミッドソール２２０ｃに提供するために、図１〜５のミッドソール２２０を形成するフレキシブル材料から形成されることができる。それによって、キャビティ２４０ｂ内に存在するメッシュ３１０ｂ及び粒状物質３５０が、ソール構造２００ｂの勾配負荷中に、足の底面の外形と相互作用することを可能にする。
【００６３】
図１１及び図１２を参照すると、いくつかの実施形態において、履物物品１０ｃは、アッパー１００と、アッパー１００に取り付けられたソール構造２００ｃとを含む。履物物品１０ｃに対して履物物品１０に関連した構成要素の構造及び機能における実質的な類似性を考慮して、同様の参照符号は同様の構成要素を特定するためにこの明細書の後の説明及び図面において使用されるとともに、拡張文字を含む同様の参照符号が改良されるそれらの構成要素を特定するために使用される。
【００６４】
ソール構造２００ｃは、積層構造で配置されたアウトソール２１０ｃ及びミッドソール２２０ｃ（例えば、中敷２００ｃとしても言及される）を含んでもよい。側壁２３０は、アウトソール２１０ｃの周囲を取り囲むことができ、それらの間にキャビティ２４０ｃ（図１２）を画定するように、アウトソール２１０ｃ及びミッドソール２２０ｃを分離することができる。アウトソール２１０ｃは、地面係合面２１２に対してアウトソール２１０ｃの反対側に配置された内側表面２１４ｃを含む。ミッドソール２２０ｃは、中敷面２２４に対してミッドソール２２０ｃの反対側に配置された底面２２２ｃを含む。底面２２２ｃは内側表面２１４ｃと対向しており、側壁２３０は、キャビティ２４０ｃの深さを画定するように、底面２２２ｃ及び内側表面２１４ｃを分離することができる。
【００６５】
図１２は、図１１のライン１２−１２に沿って切り取られた断面図を示す。複数の繊維３００は、キャビティ２４０ｃを部分的に充填するメッシュ３１０ｃを形成するように互いと協働することができ、粒状物質３５０はメッシュ３１０ｃによって画定された間質空間３０２ｃ内に存在する。間質空間３０２ｃは、粒状物質３５０の量を受容し且つ含有するための容積的な空間又は空隙を画定する。言い換えれば、キャビティ２４０ｃ内に配置された粒状物質３５０は、間質空間３０２ｃ内に定着しており、隣接する繊維３００によって制限される。粒状物質３５０の量は、それらの間質空間３０２ｃ内で移動することができるが、隣接する繊維３００によって、キャビティ２４０ｃの至る所での自由な動きを制限される。メッシュ３１０ｃは、アウトソール２１０ｃとミッドソール２２０ｃとを分離している側壁２３０によって画定されたキャビティ２４０ｃの深さを全体的に又は部分的に充填することができる。
【００６６】
いくつかの実施例において、メッシュ３１０ｃは、ソール構造２００ｃ（例えば、ミッドソール２２０ｃ及びアウトソール２１０ｃ）の長さに沿って略一定の密度を有する。このようなソール構造２００ｃは、前足部分１２からかかと部分１６へ長手方向軸に沿って延在する。逆に、他の実施例において、メッシュ３１０ｃは、ソール構造２００ｃの長さに沿って異なる密度を有する。例えば、図１２は、中足部分１４におけるメッシュ３１０ｃの密度よりも、前足部分１２及びかかと部分１６のそれぞれにおいて低い密度を有するメッシュ３１０ｃを示す。それによって、中足部分１４における間質空間３０２ｃ内に存在する粒状物質３５０の割合よりも、前足部分１２及びかかと部分１６のそれぞれにおけるメッシュ３１０ｃの間質空間３０２ｃ内に存在する粒状物質３５０の高い割合が生じる。それ故に、ソフトタイプのクッション性のレベルは、前足部分１２及びかかと部分１６のそれぞれにおいて望ましく増加することができ、反応タイプのクッション性のレベルは中足部分１４において増加することができる。ミッドソール２２０ｃは、十分な柔軟性をミッドソール２２０ｃに提供するために、図１〜５のミッドソール２２０を形成するフレキシブル材料から形成されることができる。それによって、キャビティ２４０ｃ内に存在するメッシュ３１０ｃ及び粒状物質３５０が、ソール構造２００ｃの勾配負荷中に、足の底面の外形と相互作用することを可能にする。
【００６７】
以下の条項は、上記の履物物品のためのソール構造のための例示的な構成を提供する。
【００６８】
条項１：履物物品は、アッパーと、前記アッパーに取り付けられたアウトソールであって、地面係合面と、前記地面係合面に対して前記アウトソールの反対側に形成された内側表面と、前記アウトソールの周囲を取り囲んでいる壁と、を含み、キャビティを画定するために、壁が前記内側表面と協働する、アウトソールと、を備える。ミッドソールは、前記アッパーと前記アウトソールとの間に配置されており、中敷と、前記中敷に対して前記ミッドソールの反対側に配置され、且つ前記ミッドソールの前記内側表面と対向する底面と、を含む。前記キャビティ内に受容された複数の繊維は、前記キャビティを少なくとも部分的に充填するメッシュを形成するために互いに協働しており、前記キャビティ内に配置された粒状物質は、前記メッシュの間質空間内に受容される。
【００６９】
条項２：前記粒状物質は、前記複数の繊維に対して移動することが可能である、条項１に記載の履物物品。
【００７０】
条項３：前記複数の繊維は、前記メッシュ内における前記粒状物質の自由な動きを制限する、条項２に記載の履物物品。
【００７１】
条項４：前記複数の繊維は、互いに取り付けられる、条項１に記載の履物物品。
【００７２】
条項５：前記複数の繊維は、互いに対して移動可能である、条項１に記載の履物物品。
【００７３】
条項６：前記メッシュは、前記アウトソールによる動きのために固定される、条項１に記載の履物物品
【００７４】
条項７：前記粒状物質は、発泡ビーズを含む、条項１に記載の履物物品。
【００７５】
条項８：前記発泡ビーズは、略球形状を含む、条項７に記載の履物物品。
【００７６】
条項９：前記発泡ビーズは、略同じ寸法及び形状を含む、条項７に記載の履物物品。
【００７７】
条項１０：前記発泡ビーズは、少なくとも１つの異なる寸法及び形状を含む、条項７に記載の履物物品。
【００７８】
条項１１：前記メッシュは、前記ミッドソールの長さに沿って異なる密度を含む、条項１〜１０のいずれか一項に記載の履物物品。
【００７９】
条項１２：前記ミッドソールは、かかと領域と、前足領域と、前記かかと領域と前記前足領域との間に配置された中足領域と、を含む、条項１に記載の履物物品。
【００８０】
条項１３：前記メッシュは、前記かかと領域、前記前足領域、及び前記中足領域のうちの少なくとも１つにおいて異なる密度を有する、条項１２に記載の履物物品。
【００８１】
条項１４：前記メッシュは、前記かかと領域、前記前足領域、及び前記中足領域のそれぞれにおいて略一定の密度を有する、条項１２に記載の履物物品。
【００８２】
条項１５：前記メッシュは、前記かかと領域、前記前足領域、及び前記中足領域のそれぞれにおいて異なる密度を有する、条項１２に記載の履物物品。
【００８３】
条項１６：前記かかと領域、前記前足領域、及び前記中足領域は、複数の壁によって互いから分離される、条項１２の履物物品。
【００８４】
条項１７：前記複数の壁は、前記ミッドソールの長手方向軸に対して略垂直に延在する、条項１６に記載の履物物品。
【００８５】
条項１８：前記複数の壁は、前記アウトソールの前記内側表面から前記ミッドソールに向けて延在する、条項１６に記載の履物物品。
【００８６】
条項１９：前記複数の壁は、前記ミッドソールの前記底面から離隔される、条項１８に記載の履物物品。
【００８７】
条項２０：前記複数の壁のうちの少なくとも１つは、前記ミッドソールの前記底面と接触状態になる、条項１８に記載の履物物品。
【００８８】
条項２１：前記複数の壁のそれぞれは、前記ミッドソールの前記底面と接触状態になる、条項１８に記載の履物物品。
【００８９】
条項２２：前記複数の壁は、前記かかと領域、前記前足領域、及び前記中足領域の間における前記粒状物質の動きを妨げる、条項１６に記載の履物物品。
【００９０】
条項２３：前記複数の壁は、前記かかと領域、前記前足領域、及び前記中足領域の間における前記粒状物質の動きを制限する、条項１６に記載の履物物品。
【００９１】
条項２４：履物物品は、アッパーと、前記アッパーに取り付けられたアウトソールであって、地面係合面を含むアウトソールと、を含む。中敷は、前記アッパーと前記アウトソールとの間に配置される。前記アウトソールと前記中敷との間に配置された複数の繊維は、前記アウトソールと前記中敷との間のキャビティを少なくとも部分的に充填するメッシュを形成するために互いに協働しており、前記キャビティ内に配置された粒状物質は、前記メッシュの間質空間内に受容される。
【００９２】
条項２５：前記粒状物質は、前記複数の繊維に対して移動することが可能である、条項２４に記載の履物物品。
【００９３】
条項２６：前記複数の繊維は、前記メッシュ内における前記粒状物質の自由な動きを制限する、条項２４又は２５に記載の履物物品。
【００９４】
条項２７：前記複数の繊維は、互いに取り付けられる、条項２４に記載の履物物品。
【００９５】
条項２８：前記複数の繊維は、互いに対して移動可能である、条項２４に記載の履物物品。
【００９６】
条項２９：前記メッシュは、前記アウトソールによる動きのために固定される、条項２４に記載の履物物品。
【００９７】
条項３０：前記粒状物質は、発泡ビーズを含む、条項２４に記載の履物物品。
【００９８】
条項３１：前記発泡ビーズは、略球形状を含む、条項３０に記載の履物物品。
【００９９】
条項３２：前記発泡ビーズは、略同じ寸法及び形状を含む、条項３０に記載の履物物品。
【０１００】
条項３３：前記発泡ビーズは、少なくとも１つの異なる寸法及び形状を含む、条項３０に記載の履物物品。
【０１０１】
条項３４：前記メッシュは、前記アウトソールの長さに沿って異なる密度を含む、条項２４〜３３のいずれか一項に記載の履物物品。
【０１０２】
条項３５：前記アウトソールは、かかと領域と、前足領域と、前記かかと領域と前記前足領域との間に配置された中足領域と、を含む、条項２４に記載の履物物品。
【０１０３】
条項３６：前記メッシュは、前記かかと領域、前記前足領域、及び前記中足領域のうちの少なくとも１つにおいて異なる密度を有する、条項３５に記載の履物物品。
【０１０４】
条項３７：前記メッシュは、前記かかと領域、前記前足領域、及び前記中足領域のそれぞれにおいて略一定の密度を有する、条項３５に記載の履物物品。
【０１０５】
条項３８：前記メッシュは、前記かかと領域、前記前足領域、及び前記中足領域のそれぞれにおいて異なる密度を有する、条項３５に記載の履物物品。
【０１０６】
条項３９：前記かかと領域、前記前足領域、及び前記中足領域は、複数の壁によって互いから分離される、条項３５の履物物品。
【０１０７】
条項４０：前記複数の壁は、前記アウトソールの長手方向軸に対して略垂直に延在する、条項３９に記載の履物物品。
【０１０８】
条項４１：  前記複数の壁は、前記アウトソールから前記中敷の底面に向けて延在する、条項３９に記載の履物物品。
【０１０９】
条項４２：前記複数の壁は、前記中敷の前記底面から離隔される、条項４１に記載の履物物品。
【０１１０】
条項４３：前記複数の壁のうちの少なくとも１つは、前記中敷の前記底面と接触状態になる、条項４１に記載の履物物品。
【０１１１】
条項４４：前記複数の壁のそれぞれは、前記中敷の前記底面と接触状態になる、条項４１に記載の履物物品。
【０１１２】
条項４５：前記複数の壁は、前記かかと領域、前記前足領域、及び前記中足領域の間における前記粒状物質の動きを妨げる、条項３９に記載の履物物品。
【０１１３】
条項４６：前記複数の壁は、前記かかと領域、前記前足領域、及び前記中足領域の間における前記粒状物質の動きを制限する、条項３９に記載の履物物品。
【０１１４】
条項４７：履物物品を製造する方法。前記方法は、中敷とアウトソールとの間にキャビティを提供するステップと、前記キャビティを少なくとも部分的に充填するメッシュを形成するために、互いに協働する複数の繊維を前記キャビティに提供するステップと、前記メッシュの間質空間内に受容される粒状物質を前記メッシュに提供するステップと、を備える。
【０１１５】
条項４８：前記複数の繊維を前記キャビティに提供するステップは、前記複数の繊維を互いに取り付けるステップを含む、条項４７に記載の方法。
【０１１６】
前記複数の繊維を前記キャビティに提供するステップは、前記アウトソールによる動きのために前記複数の繊維を固定するステップを含む、条項４７又は４８に記載の方法。
【０１１７】
条項５０：前記粒状物質を前記メッシュに提供するステップは、前記メッシュに発泡ビーズを提供するステップを含む、条項４７〜４９のいずれか一項に記載の方法。
【０１１８】
条項５１：前記メッシュに前記発泡ビーズを提供するステップは、略球形状を有する前記発泡ビーズを提供するステップを含む、条項５０に記載の方法。
【０１１９】
条項５１：前記メッシュに前記発泡ビーズを提供するステップは、略同じ寸法及び形状を有する前記発泡ビーズを提供するステップを含む、条項５０に記載の方法。
【０１２０】
条項５３：前記メッシュに前記発泡ビーズを提供するステップは、少なくとも１つの異なる寸法及び形状を有する前記発泡ビーズを提供するステップを含む、条項５０に記載の方法。
【０１２１】
条項５４：前記メッシュを形成するステップは、前記メッシュに、前記アウトソールの長さに沿って異なる密度を提供するステップを含む、条項４７〜５３のいずれか一項に記載の方法。
【０１２２】
条項５５：かかと領域と、前足領域と、前記かかと領域と前記前足領域との間に配置された中足領域とを有する前記アウトソールを提供するステップをさらに備える、条項４７に記載の方法。
【０１２３】
条項５６：前記メッシュを形成するステップは、前記メッシュに、前記かかと領域、前記前足領域、及び前記中足領域のうちの少なくとも１つにおいて異なる密度を提供するステップを含む、条項５５に記載の方法。
【０１２４】
条項５７：前記メッシュを形成するステップは、前記メッシュに、前記かかと領域、前記前足領域、及び前記中足領域のそれぞれにおいて略一定の密度を提供するステップを含む、条項５５に記載の方法。
【０１２５】
条項５８：前記メッシュを形成するステップは、前記メッシュに、前記かかと領域、前記前足領域、及び前記中足領域のそれぞれにおいて異なる密度を提供するステップを含む、条項５５に記載の方法。
【０１２６】
条項５９：前記かかと領域、前記前足領域、及び前記中足領域を分離するために複数の壁を提供するステップをさらに備える、条項５５に記載の方法。
【０１２７】
条項６０：前記複数の壁を提供するステップは、前記アウトソールの長手方向軸に対して略垂直に延在する複数の壁を提供するステップを含む、条項５９に記載の方法。
【０１２８】
条項６１：前記複数の壁を提供するステップは、前記アウトソールから前記中敷の底面に向けて延在する複数の壁を提供するステップを含む、条項５９に記載の方法。
【０１２９】
条項６２：前記複数の壁を提供するステップは、前記中敷の前記底面から離隔される複数の壁を提供するステップを含む、条項６１に記載の方法。
【０１３０】
条項６３：前記複数の壁を提供するステップは、前記複数の壁のうちの少なくとも１つを前記中敷の前記底面と接触して配置するステップを含む、条項６１に記載の方法。
【０１３１】
条項６４：前記複数の壁を提供するステップは、前記複数の壁のそれぞれを前記中敷の前記底面と接触して配置するステップを含む、条項６１に記載の方法。
【０１３２】
条項６５：前記かかと領域、前記前足領域、及び前記中足領域の間における前記粒状物質の動きを妨げるステップをさらに備える、条項５５に記載の方法。
【０１３３】
条項６６：前記かかと領域、前記前足領域、及び前記中足領域の間における前記粒状物質の動きを制限するステップをさらに備える、条項５５に記載の方法。
【０１３４】
前述の説明は、例示の目的及び説明の目的のために提供される。網羅的であること又は本開示を制限することは意図されていない。特定の構成における個々の要素又は特徴は一般的に、その特定の構成に限定されない。しかし、適用可能である場合に、それらの要素又は特徴は取り換え可能であり、たとえ具体的に示されていない又は記載されていないとしても、選択された構成において使用されることができる。同一物は、複数の方法において変更可能であってもよい。そのような変更は、本開示からの逸脱とみなされるべきではなく、すべてのそのような変更は、本開示の範囲内に含まれるように意図される。
【符号の説明】
【０１３５】
１０  履物物品
１２  前足部分
１４  中足部分
１６  かかと部分
１８  外側
２０  内側
２２  底面
７２  溝
７４  溝
７６  溝
８２  壁
８４  壁
８６  壁
１００  アッパー
１０２  内部空間
１０４  足首開口部
１０６  固定具
１１０  舌部分
１７２  溝
１７４  溝
１７６  溝
１８２  壁
１８４  壁
１８６  壁
２００  ソール構造
２１０  アウトソール
２１２  地面係合面
２１４  内側表面
２２０  ミッドソール、中敷
２２２  底面
２２４  中敷面
２２６  ステッチ加工
２３０  側壁
２４０  キャビティ
３００  繊維
３０２  間質空間
３１０  メッシュ
３１２  底面
３１４  上面
３５０  粒状物質、発泡ビーズ
７１０  つま先領域
７１２  前足領域
７１４  中足領域
７１６  かかと領域
８１０  つま先領域
８１２  前足領域
８１４  中足領域
８１６  かかと領域
【図１】
2020099700.tif 000003
【図２】
2020099700.tif 000004
【図３】
2020099700.tif 000005
【図４】
2020099700.tif 000006
【図５】
2020099700.tif 000007
【図６】
2020099700.tif 000008
【図７】
2020099700.tif 000009
【図８】
2020099700.tif 000010
【図９】
2020099700.tif 000011
【図１０】
2020099700.tif 000012
【図１１】
2020099700.tif 000013
【図１２】
2020099700.tif 000014
【外国語明細書】
2020099700000001.pdf